(57)【要約】【課題】映像の輝度の頻繁な変化を抑制する。【解決手段】物体検出部５０は、検出対象の物体の位置が、光投写領域におけるスクリーン３の近傍である場合、該物体を検出不能であり、当該物体の位置が、光投写領域における投写レンズ２の近傍である場合、該物体を検出可能であるように構成される。投写型表示装置１００は、物体検出部５０が物体を検出した場合、投写光束ＬＴ１の輝度を低下させる。【選択図】図１
2014150516.tif 000002
【特許請求の範囲】
【請求項１】
スクリーンに映像を投写する投写型表示装置であって、
前記映像を構成する光束である投写光束を出射する投写レンズと、
前記投写レンズの近傍に設けられ、物体を検出する機能を有する物体検出部と、を備え、
前記物体検出部は、
（ａ）前記物体の位置が、前記投写レンズと前記スクリーンとの間の領域である光投写領域における前記スクリーンの近傍である場合、該物体を検出不能であり、
（ｂ）前記物体の位置が、前記光投写領域における前記投写レンズの近傍である場合、該物体を検出可能であるように構成され、
前記投写型表示装置は、
前記物体検出部が前記物体を検出した場合、前記投写光束の輝度を低下させる
投写型表示装置。
【請求項２】
前記物体検出部は、該物体検出部が前記物体を検出可能な範囲の端が前記投写光束の内部となるように設けられる
請求項１に記載の投写型表示装置。
【請求項３】
前記物体検出部は、
赤外光を出射する光源と、
前記赤外光が物体に反射した光である反射光を検出可能な光検出部とを含み、
前記物体検出部は、前記反射光の検出により、該物体を検出する
請求項１または２に記載の投写型表示装置。
【請求項４】
前記投写型表示装置は、さらに、
少なくとも前記光源および前記光検出部を収容する筐体を備え、
前記筐体には、可視光を遮断するとともに、前記赤外光を透過させるフィルタが設けられ、
前記フィルタは、前記光源が出射する前記赤外光と前記反射光とを透過させる位置に設けられ、
前記物体検出部は、前記フィルタを透過した前記反射光の検出により、前記物体を検出する
請求項３に記載の投写型表示装置。
【請求項５】
前記投写型表示装置は、さらに、
前記光源が出射した前記赤外光が前記フィルタに反射した光である別の反射光が前記光検出部に到達しないように、前記光源と前記光検出部との間に設けられた壁を備える
請求項４に記載の投写型表示装置。
【請求項６】
前記投写光束は、放射状に出射され、
前記物体検出部が前記物体を検出可能な範囲である物体検出範囲の形状は放射状であり、
前記投写光束の放射角をαとし、前記物体検出範囲の放射角をβとした場合、
α＞β
なる関係式が満たされる
請求項１〜５のいずれか１項に記載の投写型表示装置。
【請求項７】
前記物体検出部が前記物体を検出可能な範囲である物体検出範囲の延在方向が、前記投写光束の水平方向の中心を通る中心線と前記投写レンズの中心とを含む平面と交差するように、前記物体検出部は設けられる
請求項１〜５のいずれか１項に記載の投写型表示装置。
【請求項８】
前記物体検出部が前記物体を検出可能な範囲である物体検出範囲が、前記投写光束の鉛直方向の中心を通る中心線と、前記投写レンズの光軸に最も近い、前記投写光束の端の光線との間に存在するように、前記物体検出部は設けられる
請求項１〜５のいずれか１項に記載の投写型表示装置。
【発明の詳細な説明】
【技術分野】
【０００１】
本発明は、物体を検出する機能を有する投写型表示装置に関する。
【背景技術】
【０００２】
従来の投写型表示装置は、ユーザ（人）が投写映像内に進入した状態で、当該ユーザが投写型表示装置側を見た時、投写レンズから出射される投写光により眩しさを感じることがあった。
【０００３】
特許文献１には、投写型表示装置が投写する映像内に進入した人（ユーザ）を検知して、映像の明るさを変化させる技術（以下、関連技術Ａともいう）が開示されている。関連技術Ａにより、映像内に進入したユーザが感じる眩しさを軽減することができる。
【０００４】
以下においては、映像が投写される領域を、映像投写領域ともいう。また、以下においては、投写されている映像を、投写映像ともいう。
【先行技術文献】
【特許文献】
【０００５】
【特許文献１】特開２００６−０４７９１０号公報（図４）
【発明の概要】
【発明が解決しようとする課題】
【０００６】
しかしながら、関連技術Ａでは、以下のような問題点がある。具体的には、関連技術Ａでは、映像投写領域を、ユーザが通過するだけで、投写映像の輝度が頻繁に変化する。この場合、投写映像を視聴している視聴者（ユーザ）に不快感を与える。そのため、投写映像を視聴しているユーザに不快感を与えないためには、映像投写領域を、物体（ユーザ）が通過した場合に、映像の輝度が頻繁に変化することを抑制する必要がある。
【０００７】
本発明は、このような問題を解決するためになされたものであり、映像の輝度の頻繁な変化を抑制することが可能な投写型表示装置を提供することを目的とする。
【課題を解決するための手段】
【０００８】
上記目的を達成するために、本発明の一態様に係る投写型表示装置は、スクリーンに映像を投写する。前記投写型表示装置は、前記映像を構成する光束である投写光束を出射する投写レンズと、前記投写レンズの近傍に設けられ、物体を検出する機能を有する物体検出部と、を備え、前記物体検出部は、（ａ）前記物体の位置が、前記投写レンズと前記スクリーンとの間の領域である光投写領域における前記スクリーンの近傍である場合、該物体を検出不能であり、（ｂ）前記物体の位置が、前記光投写領域における前記投写レンズの近傍である場合、該物体を検出可能であるように構成され、前記投写型表示装置は、前記物体検出部が前記物体を検出した場合、前記投写光束の輝度を低下させる。
【発明の効果】
【０００９】
本発明によれば、前記物体検出部は、前記物体の位置が、前記投写レンズと前記スクリーンとの間の光投写領域における前記スクリーンの近傍である場合、該物体を検出不能であり、前記物体の位置が、前記光投写領域における前記投写レンズの近傍である場合、該物体を検出可能であるように構成される。前記投写型表示装置は、前記物体検出部が前記物体を検出した場合、前記投写光束の輝度を低下させる。
【００１０】
これにより、投写光束により構成される映像の輝度の頻繁な変化を抑制することができる。
【図面の簡単な説明】
【００１１】
【図１】本発明の実施の形態１に係る投写型表示装置を説明するための図である。
【図２】本発明の実施の形態１に係る投写型表示装置の構成を示す図である。
【図３】本発明の実施の形態１に係る物体検出部の構成を示す図である。
【図４】光検出器の出力電圧の特性を示す図である。
【図５】物体検出時処理のフローチャートである。
【図６】本発明の実施の形態２に係る投写型表示装置を説明するための図である。
【図７】本発明の実施の形態３に係る投写型表示装置を説明するための図である。
【図８】本発明の実施の形態１に係る投写型表示装置内の物体検出部の周辺の構成を説明するための図である。
【発明を実施するための形態】
【００１２】
以下、本発明の実施の形態に係る投写型表示装置について、図面を用いて説明する。以下の説明では、同一の構成要素または部材には同一の符号を付してある。それらの名称および機能も同じである。したがって、それらについての詳細な説明を省略する場合がある。
【００１３】
また、各実施の形態の説明において、方向を表す用語（例えば、「上部」、「下部」、「左」、「右」、「Ｘ」、「Ｙ」、「Ｚ」、「水平」、「垂直」、「鉛直」等）を適宜用いているが、これらの用語によって本発明は限定されない。また、投写型表示装置の細かい構造については適宜図示を省略している。また、重複する説明については、適宜簡略化又は省略している。
【００１４】
なお、実施の形態において例示される各構成要素の寸法、材質、形状、それらの相対配置などは、本発明が適用される装置の構成や各種条件により適宜変更されるものであり、本発明はそれらの例示に限定されるものではない。また、各図における各構成要素の寸法は、実際の寸法と異なる場合がある。
【００１５】
＜実施の形態１＞
以下に、本発明の実施の形態１に係る投写型表示装置を説明する。
【００１６】
図１は、本発明の実施の形態１に係る投写型表示装置１００を説明するための図である。なお、図１には、説明のために、投写型表示装置１００に含まれないスクリーン３も示される。詳細は後述するが、投写型表示装置１００は、スクリーン３に映像を投写する。
【００１７】
図１において、Ｘ，Ｙ，Ｚ方向の各々は、互いに直交する。以下の図に示されるＸ，Ｙ，Ｚ方向の各々も、互いに直交する。以下においては、Ｘ方向と、当該Ｘ方向の反対の方向（−Ｘ方向）とを含む方向をＸ軸方向ともいう。また、以下においては、Ｙ方向と、当該Ｙ方向の反対の方向（−Ｙ方向）とを含む方向をＹ軸方向ともいう。また、以下においては、Ｚ方向と、当該Ｚ方向の反対の方向（−Ｚ方向）とを含む方向をＺ軸方向ともいう。
【００１８】
また、以下においては、Ｙ軸方向とＺ軸方向とを含む平面を、Ｙ−Ｚ面ともいう。また、以下においては、Ｘ軸方向とＺ軸方向とを含む平面を、Ｘ−Ｚ面ともいう。
【００１９】
図１（ａ）は、投写型表示装置１００の側面図である。図１（ｂ）は、投写型表示装置１００の上面図である。図２は、本発明の実施の形態１に係る投写型表示装置１００の構成を示す図である。
【００２０】
図１および図２を参照して、投写型表示装置１００は、投写レンズ２と、物体検出部５０と、制御マイコン１０１と、映像処理回路１０２と、光源１０３と、表示素子１０４と、筐体１１０とを備える。なお、投写型表示装置１００は、その他に、光源を制御するための光源駆動回路、カラー映像を構成するための光の色を分離合成する光学フィルタ、装置内の高温となる箇所を冷却して排熱する冷却手段を備えるが、これらについては説明を省略する。筐体１１０は、投写型表示装置１００に含まれる各部品（例えば、物体検出部５０）を収容する。
【００２１】
制御マイコン１０１は、詳細は後述するが、映像処理回路１０２を制御する。映像処理回路１０２は、投写型表示装置１００の外部から入力される映像信号ＶＳを受信する。そして、映像処理回路１０２は、映像信号ＶＳを、表示素子１０４の駆動に適した信号（以下、映像信号ＶＳａともいう）に変換する。そして、映像処理回路１０２は、映像信号ＶＳａを出力する。
【００２２】
光源１０３は、光を出射する。光源１０３は、例えば、高輝度の放電ランプである。なお、光源１０３は、放電ランプに限定されず、例えば、固体素子光源、蛍光体素子等であってもよい。当該固体素子光源は、例えば、ＬＥＤ（Light Emitting Diode）、レーザ等である。当該蛍光体素子は、例えば、レーザあるいはＬＥＤ等を励起光して得られる蛍光を放射する素子である。
【００２３】
表示素子１０４は、映像信号ＶＳａに従って、光源１０３が出射する光の強度を変調する。具体的には、表示素子１０４は、映像信号処理回路１０２から受信する映像信号ＶＳａに従って、光源１０３から出射された光を強度変調することにより、映像を構成する光束（光）を生成する。そして、表示素子１０４は、生成した光束を、投写レンズ２へ伝搬する。
【００２４】
投写レンズ２は、伝搬された光束を、スクリーン３へ投写（照射）する。以下においては、投写される映像を構成する光束を、投写光束ともいう。すなわち、投写レンズ２は、投写光束を出射する。投写光束は、図１に示される投写光束ＬＴ１である。以上により、スクリーン３に映像（映像光）が拡大して投写（表示）される。すなわち、スクリーン３に、投写光束ＬＴ１が照射される。投写光束ＬＴ１は、投写レンズ２から放射状に出射される。
【００２５】
図１（ａ）において、投写光束ＬＴ１は、光線Ｌ１ａと光線Ｌ１ｂとスクリーン３とで形成される領域内の光束である。光線Ｌ１ａ，Ｌ１ｂの各々は、投写光束ＬＴ１の端の光の経路となる線である。
【００２６】
投写光束ＬＴ１の形状は、放射状である。以下においては、投写光束ＬＴ１の鉛直方向（Ｙ軸方向）の放射角を、αｖとも表記する。すなわち、αｖは、投写光束ＬＴ１の（画面垂直方向）の画角である。画面垂直方向とは、スクリーン３に投写される映像の垂直方向である。
【００２７】
また、図１（ｂ）において、投写光束ＬＴ１は、光線Ｌ１ｃと光線Ｌ１ｄとスクリーン３とで形成される領域内の光束である。以下においては、投写光束ＬＴ１の水平方向（Ｘ軸方向）の放射角を、αｈとも表記する。すなわち、αｈは、投写光束ＬＴ１の（画面水平方向）の画角である。画面水平方向とは、スクリーン３に投写される映像の水平方向である。
【００２８】
表示素子１０４は、例えば、透過型液晶素子、反射型液晶素子等である。透過型液晶素子および反射型液晶素子の各々は、２次元（行列状）に画素を配列した素子である。なお、表示素子１０４は、上記の素子に限定されず、例えば、ミラーアレイ表示素子であってもよい。当該ミラーアレイ表示素子は、ミラーの傾きにより光の反射方向を制御する素子である。その他、フィルムを透過した光を投写する表示装置、直進性の高いレーザ光を反射ミラーの傾きにより偏向を与えて映像を構成するスキャン型映像表示装置等に本発明を適用してもよく、表示素子１０４は、アレイ状の表示素子に限定されない。
【００２９】
物体検出部５０は、物体を検出する機能を有する。当該物体は、例えば、ユーザ（人）である。以下においては、ユーザを、ユーザＵ１とも表記する（例えば、図１（ａ）参照）。物体検出部５０は、詳細は後述するが、センサ等により構成される。物体検出部５０は、投写レンズ２の近傍に設けられる。本実施の形態では、物体検出部５０は、一例として、投写レンズ２の上方に設けられる。物体検出部５０は、例えば、投写光束ＬＴ１内における投写レンズ２の近傍にユーザが存在する場合、当該ユーザ（ユーザＵ１）を検出する。
【００３０】
以下においては、物体検出部５０が物体を検出可能な範囲を、物体検出範囲Ｒ１０ともいう。物体検出範囲Ｒ１０の形状は放射状である。
【００３１】
また、以下においては、図１（ａ）の物体検出範囲Ｒ１０の鉛直方向（Ｙ軸方向）の放射角を、βｖとも表記する。すなわち、βｖは、物体検出範囲Ｒ１０の（画面垂直方向）の検出角である。また、以下においては、図１（ｂ）の物体検出範囲Ｒ１０の水平方向（Ｘ軸方向）の放射角を、βｈとも表記する。すなわち、βｈは、物体検出範囲Ｒ１０の（画面水平方向）の検出角である。
【００３２】
物体検出部５０は、物体検出範囲Ｒ１０の位置が投写型表示装置１００の前方（投写光束ＬＴ１が出射される方向）となるように、投写型表示装置１００に設けられる。以下においては、投写型表示装置１００（投写レンズ２）から最も離れた、物体検出範囲Ｒ１０の端（箇所）を、検出端Ｒ１１ともいう。
【００３３】
また、物体検出部５０は、物体検出範囲Ｒ１０の検出端Ｒ１１が投写光束ＬＴ１の内部となるように、投写型表示装置１００に設けられる。
【００３４】
詳細は後述するが、物体検出部５０により物体（例えば、ユーザ）が検出されると、投写型表示装置１００は、投写光束ＬＴ１の輝度（光量）を低減させる。
【００３５】
なお、物体検出部５０が投写光束ＬＴ１内に進入する物体を常に検出し、当該物体が検出された場合、投写光束ＬＴ１の輝度（光量）が常に低減されることを回避するように、物体検出部５０および物体検出範囲Ｒ１０は設けられる。
【００３６】
ここで、投写型表示装置１００は、図１（ａ）および図１（ｂ）のように、スクリーン３から距離Ｄ１だけ離れた位置に配置される。距離Ｄ１は、投写レンズ２からスクリーン３までの映像の投写距離である。以下においては、図１（ａ）および図１（ｂ）のように、投写レンズ２から検出端Ｒ１１までの距離を、距離Ｄ２と表記する。距離Ｄ２は、物体を検出可能な距離の最大値である。以下においては、距離Ｄ２を、検出距離とも表記する。
【００３７】
距離Ｄ２が距離Ｄ１より短くなるように、物体検出部５０の物体検出範囲Ｒ１０は設定される。すなわち、距離Ｄ２が距離Ｄ１より短くなるように、物体検出部５０は構成される。距離Ｄ２は、例えば、距離Ｄ１の１０〜７０％の範囲の値に設定される。好ましくは、距離Ｄ２は、例えば、距離Ｄ１の１０〜５０％の範囲の値に設定される。
【００３８】
以下においては、投写レンズ２（投写型表示装置１００）とスクリーン３との間の領域を、光投写領域ともいう。
【００３９】
本実施の形態の物体検出部５０は、検出対象の物体の位置が、光投写領域におけるスクリーン３の近傍である場合、該物体を検出不能であり、当該物体の位置が、光投写領域における投写レンズ２の近傍である場合、該物体を検出可能であるように構成される。
【００４０】
以下においては、投写光束ＬＴ１（映像）の中心を通る線を、中心線Ｃ１とも表記する。また、以下においては、投写レンズ２の光軸を、光軸ＬＸ１とも表記する。図１（ａ）のＹ−Ｚ面において、視聴者の視野を遮らないように、中心線Ｃ１が、光軸ＬＸ１より上方に配置されるように、投写型表示装置１００は構成される。すなわち、投写型表示装置１００は、投写光束ＬＴ１の中心線Ｃ１が、光軸ＬＸ１より上方に配置されるように、投写光束ＬＴ１を出射する。
【００４１】
そのため、物体検出部５０は、投写光束ＬＴ１のうち投写レンズ２近傍の箇所（以下、レンズ近傍箇所ともいう）に進入した物体（人）を検出可能とするように設けられることが好ましい。すなわち、物体検出部５０は、レンズ近傍箇所に設けられることが好ましい。さらに、物体検出部５０は、投写光束ＬＴ１を放射する投写レンズ２の近傍に設けられることが好ましい。投写レンズ２の近傍の箇所であって、かつ、投写光束ＬＴ１の近傍の箇所であるレンズ近傍箇所は、投写型表示装置１００における投写レンズ２の上方である。
【００４２】
なお、物体検出部５０が設けられる位置は、投写レンズ２の上方に限定されず、例えば、投写レンズ２の下方、右横、左横、上方と右横と左横との中間位置、下方と右横と左横との中間位置等とする構成としてもよい。特に、物体検出部５０が設けられる位置を投写レンズ２の下方とする構成の場合、物体検出部５０が設けられる位置は、例えば、投写光束ＬＴ１が出射されていない、投写レンズ２に近接する場所であることが好ましい。また、物体検出部５０が設けられる位置は、例えば、投写レンズ２の光が通過していない部分のレンズを一部切断し、当該レンズの一部が切断された箇所であってもよい。
【００４３】
物体検出範囲Ｒ１０は、投写型表示装置１００が出射する高輝度の光（投写光束ＬＴ１）が、ユーザの目に強い影響を与えないように設定される。投写型表示装置１００の場合、投写レンズ２の瞳から光が発するように観察される。投写レンズ２の瞳とは、光が出射される仮想の原点、すなわち、光の発光点である。
【００４４】
通常、投写型表示装置１００は、ユーザが意図して投写レンズ２から出射される光を直接見るための製品ではない。ユーザが、光投写領域におけるスクリーン３の前（近傍）の位置に立って、投写型表示装置１００側を見る場合であって、かつ、投写レンズ２を凝視しない場合、網膜上に強い光（瞳の光源像）が集光されない。この場合、投写レンズ２から出射される光は、ユーザの目に強い影響を与える光とはならない。
【００４５】
ユーザが、高輝度な光を出射する発光点を凝視して、網膜上に集光される場合、網膜に影響を及ぼすことが知られている。ここで、ユーザが、意図して投写レンズ２の瞳を見たとする。例えば、ユーザが、光投写領域におけるスクリーン３の前（近傍）から投写レンズ２の瞳を見た場合、目の網膜上に到達する光量は少ない。ユーザが、投写型表示装置１００に近づくにつれて、網膜に到達する光量が増加する。
【００４６】
さらに最も網膜上の光密度が高くなる状態は、投写レンズ２内の瞳の像が、網膜上に焦点があった状態である。焦点を合わせることができない状態は、網膜上の瞳の像がぼけた状態であり、この状態では、光密度が低下する。なお、焦点を合わすことが可能な再接近距離（近接距離）は個人差がある。「レーザ製品の安全基準（Safety of laser products）」の規格ＩＥＣ６０８２５−１において、近接距離は、発光点から１０ｃｍと仮定されて規定されている。
【００４７】
「ランプ及びランプシステムの光生物学的安全性（Photobiological safety of lamps and lamp systems）」の規格ＩＥＣ６２４７１においては、近接距離は、発光点から２０ｃｍと規定されている。
【００４８】
以上を勘案して、距離Ｄ２（検出距離）は、２０ｃｍより大きく設定することが望ましい。
【００４９】
なお、物体検出部５０の検出角度（βｖ，βｈ）は、必ずしも投写光束ＬＴ１の画角（αｖ，αｈ）に一致させる必要はない。
【００５０】
本実施の形態では、以下の式１が満たされるように、αｖ，βｖ，αｈ，βｈは設定される。すなわち、物体検出部５０は、式１が満たされるように構成される。
【００５１】
αｖ＞βｖ、αｈ＞βｈ  ・・・（式１）
すなわち、投写光束ＬＴ１の放射角をαとし、物体検出範囲Ｒ１０の放射角をβとした場合、α＞βなる関係式が満たされる。つまり、物体検出範囲Ｒ１０の検出角は、投写光束ＬＴ１の画角より小さい。
【００５２】
次に、物体検出部５０の詳細な説明を行う。
【００５３】
図３は、本発明の実施の形態１に係る物体検出部５０の構成を示す図である。物体検出部５０は、一例として、赤外線を利用して物体を検出する距離センサである。なお、図３では、説明のために、異なる位置に配置された物体７０が、物体７０ａ，７０ｂ，７０ｃとして示される。物体７０は、光が照射される被照射物体である。
【００５４】
なお、図の都合上、３つの物体７０を示しているが、実際には、物体７０ａ，７０ｂ，７０ｃは、同時に存在せず、物体７０ａ，７０ｂ，７０ｃのいずれかが存在する。
【００５５】
図３を参照して、物体検出部５０は、発光素子５１と、投光レンズ５２と、受光レンズ５３と、光検出器５４と、比較器５５とを含む。
【００５６】
発光素子５１は、赤外光（赤外線）を出射する素子である。すなわち、発光素子５１は、赤外光を出射する光源である。投光レンズ５２は、発光素子５１から出射された赤外光を、指向性のある光ＬＴ２に変換する。
【００５７】
物体７０ａ，７０ｂ，７０ｃの各々は、光ＬＴ２を反射させる。以下においては、光ＬＴ２が物体（例えば、物体７０ａ）に反射された光であって、かつ、受光レンズ５３に向かう光を、反射光ＬＴ２ａともいう。反射光ＬＴ２ａは、赤外光が物体に反射した光である。反射光ＬＴ２ａは、赤外光である。
【００５８】
受光レンズ５３は、反射光ＬＴ２ａを、光検出器５４に照射（集光）する。
【００５９】
光検出器５４は、反射光ＬＴ２ａを検出可能な光検出部である。詳細は後述するが、光検出器５４による反射光ＬＴ２ａの検出により、物体検出部５０は、物体を検出する。
【００６０】
具体的には、光検出器５４は、受光面５４ａを有する。受光面５４ａは、光をうける面である。光検出器５４は、当該受光面５４ａに反射光ＬＴ２ａが照射される角度（入射角度）に応じた値を有する出力電圧Ｖ１を出力する。
【００６１】
図４は、光検出器５４の出力電圧Ｖ１の特性を示す図である。以下、図４を用いて、光検出器５４を説明する。
【００６２】
具体的には、光検出器５４は、受光面５４ａに対する反射光ＬＴ２ａの入射角度が垂直（０度）に近いほど、値が小さい出力電圧Ｖ１を出力する。すなわち、光検出器５４は、受光面５４ａに対する反射光ＬＴ２ａの入射角度が９０度に近いほど、値が大きい出力電圧Ｖ１を出力する。以下においては、投光レンズ５２から物体７０までの距離を距離Ａともいう。図４に示すように、距離Ａが短い程、出力電圧Ｖ１は、大きくなる。
【００６３】
そのため、光検出器５４は、距離Ａが短い程、値が大きい出力電圧Ｖ１を出力する。例えば、物体７０ａからの反射光ＬＴ２ａに対応する出力電圧Ｖ１は、物体７０ｃからの反射光ＬＴ２ａに対応する出力電圧Ｖ１より大きい。
【００６４】
比較器５５には、出力電圧Ｖ１が常に入力される。比較器５５は、出力電圧Ｖ１と基準電圧Ｖ２との比較結果に応じた物体検出信号ＳＧ３を出力する。基準電圧Ｖ２は、固定値である。
【００６５】
比較器５５は、出力電圧Ｖ１が基準電圧Ｖ２より大きい場合、Ｈレベルの物体検出信号ＳＧ３を出力する。一方、比較器５５は、出力電圧Ｖ１が基準電圧Ｖ２以下である場合、Ｌレベルの物体検出信号ＳＧ３を出力する。すなわち、出力電圧Ｖ１が基準電圧Ｖ２より大きい場合のみ、物体検出信号ＳＧ３のレベルは、Ｈレベルとなる。
【００６６】
したがって、投光レンズ５２から物体７０までの距離が、所定の閾値未満となる位置に、物体７０が存在する場合のみ、比較器５５が出力する物体検出信号ＳＧ３のレベルは、Ｈレベルとなる。すなわち、距離Ａが前述の所定の閾値未満の場合に、比較器５５は、Ｈレベルの物体検出信号ＳＧ３を出力する。
【００６７】
このため、基準電圧Ｖ２が低く設定された場合、物体検出部５０は、遠くに存在する物体を検出可能となる。また、基準電圧Ｖ２が高く設定された場合、物体検出部５０は、近くに存在する物体を検出可能となる。すなわち、基準電圧Ｖ２の値によって、物体検出部５０が物体を検出可能な距離（検出端Ｒ１１の位置）を調整することができる。
【００６８】
なお、受光レンズ５３から、光検出器５４の受光面５４ａに照射される光（反射光ＬＴ２ａ）の入射角度は、ある範囲（例えば、２０度〜９０度）に制限される。そのため、受光レンズ５３の光軸から当該光軸と直交する方向において、ある程度以上離れた位置に存在する物体は、物体検出部５０に影響を与えることはない。
【００６９】
従って、ある限られた距離以内、ある限られた角度範囲内に、物体（例えば、物体７０）が存在する場合のみ、物体検出信号ＳＧ３のレベルは、Ｈレベルとなる。すなわち、物体検出部５０が、Ｈレベルの物体検出信号ＳＧ３を出力する場合は、物体検出部５０が物体を検出した場合である。なお、物体検出部５０はセンサと物体間のおおよその距離が観測できるものを使用すればよいため、図３の構成や図４の特性に限定されるものではない。
【００７０】
なお、物体検出部５０の周辺の構成は、以下の構成（以下、構成Ｎ１という）とされてもよい。以下、構成Ｎ１について説明する。
【００７１】
図８は、本発明の実施の形態１に係る投写型表示装置１００内の物体検出部５０の周辺の構成を説明するための図である。なお、図８では、便宜上、投写型表示装置１００に含まれる、投写レンズ２およびその他の構成部品の図示を省略している。なお、図８に示される後述の壁５８は、構成Ｎ１には含まれないとする。
【００７２】
構成Ｎ１では、投写型表示装置１００は、さらに、フィルタ５６を備える。ここで、前述したように、筐体１１０は、投写型表示装置１００に含まれる各部品（例えば、物体検出部５０）を収容する。すなわち、筐体１１０は、少なくとも発光素子５１および光検出器５４（光検出部）を収容する。
【００７３】
筐体１１０には、フィルタ５６が設けられる。フィルタ５６は、可視光を遮断するとともに、赤外光を透過させるように構成される。フィルタ５６は、光源としての発光素子５１が出射する赤外光と反射光ＬＴ２ａとを透過させる位置に設けられる。反射光ＬＴ２ａは、前述したように、光ＬＴ２が物体（例えば、物体７０）に反射された光のうち、受光レンズ５３に向かう光である。
【００７４】
なお、物体検出部５０を保護し、投写型表示装置１００の概観の品位を確保するために、フィルタ５６は、例えば、筐体１１０の側面の一部に穴を設け、当該穴を覆うように、筐体１１０の側面に設けられる。
【００７５】
次に、フィルタ５６が設けられた構成Ｎ１において物体７０を検出する流れについて説明する。投光レンズ５２から出射された光ＬＴ２（赤外光）は、フィルタ５６を透過して、物体７０に反射され、反射光ＬＴ２ａとなる。反射光ＬＴ２ａは、再び、フィルタ５６を透過して、受光レンズ５３に入射して、前述の光検出器５４に到達する。これにより、物体検出部５０（光検出器５４）は、フィルタ５６を透過した反射光ＬＴ２ａの検出により、物体７０を検出する。
【００７６】
なお、フィルタ５６を設けた上記の構成Ｎ１の場合、光ＬＴ２（赤外光）がフィルタ５６を透過する際に、フィルタ５６と空気との界面にて光ＬＴ２が反射することにより、反射光ＬＴ３ａが発生する。ここで、反射光ＬＴ３ａが、筐体１１０内で反射を繰り返すことにより、反射光ＬＴ３ｂになったとする。この場合、反射光ＬＴ３ｂが、受光レンズ５３に入射すると、物体が存在しない状況での物体の検出、検出距離の誤差増大等といった誤動作の原因となる。
【００７７】
そこで、上記の誤動作等を防ぐために、物体検出部５０の周辺の構成は、以下の構成（以下、構成Ｎ２という）としてもよい。構成Ｎ２では、上記の構成Ｎ１のフィルタ５６に加え、さらに、以下の壁を設ける構成である。以下、構成Ｎ２について説明する。
【００７８】
構成Ｎ２では、投写型表示装置１００は、さらに、壁５８を備える。壁５８は、赤外光にとって不透明な材料（赤外光を透過させない材料）で構成される。赤外光にとって不透明な材料は、例えば、樹脂、金属等である。すなわち、壁５８は、遮光壁として機能する。
【００７９】
壁５８は、前述の反射光ＬＴ３ａが、受光レンズ５３に入射する反射光ＬＴ３ｂとなることを防ぐ壁である。なお、当該反射光ＬＴ３ａは、発光素子５１（光源）が出射した赤外光がフィルタ５６に反射した光である。
【００８０】
また、壁５８は、反射光ＬＴ３ａが光検出器５４に到達しないように、発光素子５１（光源）と光検出器５４との間に設けられる。より具体的には、壁５８は、発光素子５１から照射される赤外光を出射する部分（投光レンズ５２）と、光検出器５４に到達する反射光が照射される部分（受光レンズ５３）との間に設けられる。
【００８１】
なお、壁５８の形状は、受光レンズ５３に入射する反射光を除去できれば、平面状であっても良い。なお、壁５８の形状は、投光レンズ５２とフィルタ５６との間において、確実に赤外光を漏らさないようにするため、筒状であることが望ましい。また、筒状の壁５８は、投光レンズ５２を覆うように配置されることが望ましい。
【００８２】
なお、壁５８により投光レンズ５２を覆うように配置される構成に限定されず、受光レンズ５３に赤外光が入射しなければ、受光レンズ５３を覆うように壁５８を配置してもよい。また、投光レンズ５２および受光レンズ５３の両方を覆うように、壁５８を配置しても良い。
【００８３】
なお、前述したように、壁５８は、赤外光にとって不透明な材料で構成される。そこで、壁５８に対して、赤外光を吸収する表面処理が施されることが望ましい。
【００８４】
次に、物体が検出された場合の処理（以下、物体検出時処理ともいう）について説明する。以下においては、物体検出部５０により物体が検出されていな状態を、非検出状態ともいう。
【００８５】
図５は、物体検出時処理のフローチャートである。再び、図２を参照して、制御マイコン１０１は、物体検出部５０（比較器５５）から出力される物体検出信号ＳＧ３を受信する。
【００８６】
ステップＳ１１０では、制御マイコン１０１は、物体検出部５０により物体が検出されたか否かを判定する。具体的には、制御マイコン１０１は、物体検出信号ＳＧ３のレベルがＨレベルであるか否かを判定する。ステップＳ１１０において、ＹＥＳならば、処理は、ステップＳ１２０に移行する。一方、ステップＳ１１０において、ＮＯならば、再度、ステップＳ１１０の処理が行われる。
【００８７】
ステップＳ１２０では、制御マイコン１０１が、映像ミュート命令としての輝度低下指示を、映像処理回路１０２へ与える。すなわち、制御マイコン１０１は、物体検出信号ＳＧ３のレベルがＨレベルである場合のみ、輝度低下指示を、映像処理回路１０２に与える。輝度低下指示は、映像処理回路１０２が出力する映像信号ＶＳａが示す映像の輝度を低下させるための指示である。
【００８８】
ステップＳ１３０では、光制御処理が行われる。光制御処理では、映像処理回路１０２が、輝度低下指示に従い、映像信号ＶＳが示す映像全体の輝度を所定値だけ低下させ、当該低下した輝度を有する映像を示す映像信号ＶＳａを出力する。すなわち、映像処理回路１０２は、輝度低下指示を受けた場合、映像信号ＶＳａが示す映像の輝度を、輝度低下指示を受けていない場合より低下させる。
【００８９】
そして、表示素子１０４が、輝度が低下された映像信号ＶＳａに従って、映像を構成する光束（光）を生成する。前述したように、生成された光束は、投写レンズ２を介して、スクリーン３へ投写される。この場合、スクリーン３に投写される投写光束ＬＴ１の輝度（光量）は、非検出状態における投写光束ＬＴ１の輝度（光量）より小さい。
【００９０】
すなわち、ステップＳ１１０〜Ｓ１３０の処理により、投写型表示装置１００（映像処理回路１０２）は、物体検出部５０が物体を検出した場合、投写光束ＬＴ１の輝度（光量）を低下させる。
【００９１】
さらに、物体が検出されて光制御処理（ステップＳ１３０）が終了した後、ユーザが物体検出範囲Ｒ１０の外に移動した場合、以下の処理が行われてもよい。つまり、投写光束ＬＴ１の輝度を低下させた状態を解除するために、投写型表示装置１００は、物体検出範囲Ｒ１０にユーザが侵入したことを異常な状態と判断して、ユーザが物体検出範囲Ｒ１０の外に移動しても、輝度低下状態を維持する。この状態において、ユーザが投写型表示装置１００の機能スイッチ等を押すことにより輝度低下状態から復起するようにしてもよい。
【００９２】
また、ユーザが物体検出範囲Ｒ１０の外に移動して、自動的に投写光束ＬＴ１の輝度を復起させる場合、光制御処理（ステップＳ１３０）の後も継続して物体検出時処理（ステップＳ１１０〜Ｓ１３０）を行うようにしてもよい。これにより、投写型表示装置１００の機能スイッチを使用しなくても投写光束ＬＴ１の輝度を復起できる。
【００９３】
以上説明したように、本実施の形態によれば、物体検出部５０は、検出対象の物体の位置が、光投写領域におけるスクリーン３の近傍である場合、該物体を検出不能であり、当該物体の位置が、光投写領域における投写レンズ２の近傍である場合、該物体を検出可能であるように構成される。投写型表示装置１００は、物体検出部５０が物体を検出した場合、投写光束ＬＴ１の輝度を低下させる。
【００９４】
これにより、投写光束により構成される映像の輝度の頻繁な変化を抑制することができる。
【００９５】
また、本実施の形態の物体検出部５０は、前述したように、式１が満たされるように構成される。これにより、ユーザの体の一部のみが投写光束ＬＴ１内に進入した程度では、物体検出部５０が当該ユーザを検知しないようにすることができる。これにより、投写映像の一部が欠けたとしても、視聴者に映像を提供できる。
【００９６】
また、上記のように構成された物体検出部５０の検出に応じて、投写光束ＬＴ１の輝度を変化させる。これにより、本実施の形態の投写型表示装置１００は、投写光束ＬＴ１（映像）の外側から人が投写光束ＬＴ１に進入する場合、投写光束ＬＴ１に人が進入した瞬間に、投写光束ＬＴ１の輝度（光量）を低下させないようにすることができる。例えば、投写型表示装置１００は、投写レンズ２の瞳を、ユーザが直視する状況になったとき、前述の光制御処理を行うようにするようにできる。
【００９７】
なお、従来の投写型表示装置では、スクリーン上で書いた図、文字等が投写映像に反映される機能を有するものもある。このような従来の投写型表示装置の用途は、例えば、ユーザが、投写映像内に進入してスクリーンの前に立って作業するという用途である。前述の関連技術Ａでは、投写映像内にユーザが侵入した場合、映像を暗くするため、上記の用途を果たせない。
【００９８】
一方、本実施の形態の投写型表示装置１００は、ユーザが、投写レンズ２の近傍にいる場合のみ、投写光束の輝度（光量）を低下させる。そのため、上記の用途を果たすことができる。
【００９９】
また、本実施の形態によれば、前述のように、物体検出部５０は、物体検出範囲Ｒ１０の検出端Ｒ１１が投写光束ＬＴ１の内部となるように設けられる。すなわち、投写型表示装置１００からスクリーン３までの距離よりも、物体検出部５０の物体検知可能な距離を短く設定する。
【０１００】
これにより、物体検出部５０は、投写レンズ２近傍の投写光束ＬＴ１内に進入した人を検知するとともに、物体検出部５０が、投写光束ＬＴ１外にいるユーザを誤って検出するといった誤動作を防止できる。
【０１０１】
また、本実施の形態によれば、物体検出部５０は、赤外光（赤外線）を利用して物体を検出する。そのため、物体検出部５０は、可視光の投写光の影響を受けることなく、物体を検出することができる。
【０１０２】
また、本実施の形態によれば、物体検出部５０が、投写レンズ２から出射される光束の近傍にある物体を検知するよう構成される。そのため、投写映像内にユーザが進入した場合に映像の輝度を常に変化させないようにすることができる。また、光の強度が強い投写レンズ近傍にユーザが近づいた時、映像の輝度を変化させることができる。
【０１０３】
具体的には、物体検出部５０は、投写レンズ２から離れた、投写光束ＬＴ１内の位置に侵入したユーザは検出しない。この場合、輝度の変化のない投写光束ＬＴ１による投写映像を、視聴者に提供することができる。また、物体検出部５０は、投写光束ＬＴ１内の投写レンズ２近傍に侵入したユーザは検出する。当該検出に応じて、投写映像の輝度を減少させる。これにより、投写レンズ近傍にいるユーザが、感じる眩しさを軽減できる。
【０１０４】
また、本実施の形態によれば、投写映像内にユーザが侵入した場合においても、ユーザの位置が、投写レンズ２から離れた、スクリーン３の近傍であれば、映像の輝度を暗くすることはない。また、投写光の強度が強い投写レンズ２近傍にユーザが近づいた時、映像の輝度を低下させる。すなわち、スクリーン３前の投写映像内にユーザが進入した場合、投写光束の輝度は変化させず、投写レンズ２近傍の、光強度が強い領域にユーザが進入した場合、投写光束の輝度を低下させる。これにより、強い光が、ユーザの目に強い影響を与える可能性を低減できる。
【０１０５】
なお、物体検出部５０は、赤外線を利用して物体を検出する距離センサとしたがこれに限定されない。物体検出部５０は、例えば、超音波を用いた距離センサであってもよい。また、物体検出部５０は、例えば、映像センサとフォーカスレンズを用いたコントラスト検出により物体（距離）を検出するセンサであってもよい。また、物体検出部５０は、例えば、２台以上の映像センサを用いた三角測量距離検出装置で構成されてもよい。また、物体検出部５０は、例えば、発光源と受光センサとの間に物体が入って遮光されることにより物体（位置）を検出する装置で構成されてもよい。
【０１０６】
ここで、投写型表示装置１００において、投写レンズ２にズームレンズを使用した構成（以下、構成Ａという）であるとする。この場合、投写距離が同一であっても、ズームレンズをテレ（Ｔｅｌｅ）端で使用している場合の方が、ズームレンズをワイド（Ｗｉｄｅ）端で使用している場合より、網膜上に結像される光の密度が高くなる可能性がある。
【０１０７】
上記構成Ａでは、投写レンズ２のズーム位置に連動して、ズームレンズをＴｅｌｅ端側に変化させた場合、物体検出部５０の検出距離（距離Ｄ２）を長くすればよい。これは、例えば、物体検出部５０が図３に示す構成の場合、基準電圧Ｖ２を変えることにより実現できる。
【０１０８】
また、物体検出部５０が、物体（人）を検出して、投写型表示装置１００が減光するまでの反応時間が、嫌悪反応時間以下になるように、構成することが望ましい。嫌悪反応時間は、人が眩しさを感じた後に瞬きをして防御する時間である。嫌悪反応時間は、例えば、０．２５秒である。
【０１０９】
投写光束の光量を低下させる方法（以下、光量低下方法ともいう）は、上記の方法に限定されない。例えば、光量低下方法（減光方法）は、表示素子１０４により、黒または中間輝度を表示する方法であってもよい。また、光量低下方法は、例えば、表示素子１０４に照射される光を出射する光源をオフする方法、当該光の量を低減させる方法等であってもよい。
【０１１０】
また、光量低下方法は、例えば、光源１０３から投写レンズ２の直前までの光路途中に、シャッタまたは光学フィルタを具備して光線を遮る方法であってもよい。また、光量低下方法（減光方法）は、一つだけではなく、二つ以上の光量低下方法を適用した方法であってもよい。
【０１１１】
＜実施の形態２＞
以下に、本発明の実施の形態２に係る投写型表示装置を説明する。
【０１１２】
図６は、本発明の実施の形態２に係る投写型表示装置１００Ａを説明するための図である。図６（ａ）は、投写型表示装置１００Ａの側面図である。図６（ｂ）は、投写型表示装置１００Ａの上面図である。
【０１１３】
図６を参照して、投写型表示装置１００Ａは、図１の投写型表示装置１００と比較して、物体検出部５０の位置が異なる。投写型表示装置１００Ａのそれ以外の構成は、投写型表示装置１００と同様なので詳細な説明は繰り返さない。投写型表示装置１００Ａは、実施の形態１と同様に、物体検出時処理を行う。
【０１１４】
図６（ｂ）において、物体検出部５０は、投写レンズ２の左横に設けられる。具体的には、物体検出部５０は、−Ｚ方向に沿って投写型表示装置１００Ａを見た状態で、投写レンズ２の左横に設けられる。
【０１１５】
ここで、仮に、物体検出部５０の物体検出範囲Ｒ１０の延在方向が、Ｙ−Ｚ面と略並行となるように構成された場合（物体検出部５０の物体検出範囲がＲ１０Ｎである場合）物体検出部５０は、投写レンズ２と正対して投写光を見る人を検知できなくなる。
【０１１６】
そこで、本実施の形態では、図６（ｂ）のように、物体検出範囲Ｒ１０の延在方向が、中心線Ｃ１の方向に傾くように、物体検出部５０を配置する。すなわち、物体検出範囲Ｒ１０の延在方向が、上面から見た場合中心線Ｃ１と交差するように、物体検出部５０を配置する。中心線Ｃ１は、投写レンズ２の水平方向（Ｘ軸方向）の中心と、投写光束ＬＴ１（映像）の水平方向（Ｘ軸方向）の中心とを通過する線である。
【０１１７】
ここで、投写光束ＬＴ１の水平方向（Ｘ軸方向）の中心を通る線は、前述の中心線Ｃ１である。以下においては、物体検出範囲Ｒ１０の延在方向が、中心線Ｃ１と投写レンズの水平方向（Ｘ軸方向）の中心とを含む平面を、Ｙ−Ｚ面Ａとも表記する。
【０１１８】
投写型表示装置１００Ａにおいて、物体検出範囲Ｒ１０の延在方向が、Ｙ−Ｚ面Ａと交差するように、物体検出部５０は設けられる。この構成により、物体検出部５０は、投写レンズ２に最も接近した位置から少し離れた位置にいる物体（人）、特に投写レンズ２に正対して投写レンズ２に最も接近した位置から少し離れた位置にいる物体（人）までも、検出可能となる。
【０１１９】
以上説明したように、本実施の形態の投写型表示装置１００Ａでは、投写レンズ２の横側近傍に物体検出部５０が配置される。なお、物体検出範囲Ｒ１０の延在方向が、中心線Ｃ１の方向に傾くように、物体検出部５０が配置される。これにより、投写レンズ２の横側近傍に物体検出部５０を配置した構成においても、物体検出部５０は、投写レンズ２近傍に近づいたユーザを検出することができる。
【０１２０】
なお、物体検出部５０は、投写レンズ２の右横に配置してもよい。また、物体検出部５０が配置される位置は、投写レンズ２の真横に限定されない。物体検出部５０が配置される位置は、例えば、投写レンズ２の上部と投写レンズ２の真横との中間位置であってもよい。また、物体検出部５０が配置される位置は、例えば、投写レンズ２の下部と投写レンズ２の真横との中間位置であってもよい。
【０１２１】
また、投写型表示装置１００Ａは、物体検出部５０を２つ以上使用した構成としてもよい。この場合、２つ以上の物体検出部５０は、投写レンズ２の左横、右横、上方および下方に配置されてもよい。また、２つ以上の物体検出部５０は、投写レンズ２の左横、右横、上方および下方の中間の位置に配置されてもよい。
【０１２２】
＜実施の形態３＞
以下に、本発明の実施の形態３に係る投写型表示装置を説明する。
【０１２３】
図７は、本発明の実施の形態３に係る投写型表示装置１００Ｂを説明するための図である。図７（ａ）は、テーブル２００に設置された投写型表示装置１００Ｂの側面図である。以下においては、図７（ａ）のように、投写型表示装置１００Ｂを、テーブル２００または床等の平面に設置した状態を、通常設置状態または床置き状態ともいう。
【０１２４】
図７（ａ）を参照して、投写型表示装置１００Ｂは、図１の投写型表示装置１００と比較して、物体検出部５０の構成が異なる。投写型表示装置１００Ｂのそれ以外の構成は、投写型表示装置１００と同様なので詳細な説明は繰り返さない。投写型表示装置１００Ｂは、実施の形態１と同様に、物体検出時処理を行う。
【０１２５】
投写型表示装置１００Ｂにおいて、物体検出範囲Ｒ１０が、投写光束ＬＴ１の鉛直方向（Ｙ軸方向）の中心を通る中心線Ｃ１と、投写レンズ２の光軸ＬＸ１に最も近い、投写光束ＬＴ１の端の光線Ｌ１ｂとの間に存在するように、物体検出部５０は設けられる。すなわち、物体検出範囲Ｒ１０が、投写レンズ２の中心と、投写光束ＬＴ１の鉛直方向（Ｙ軸方向）の中心とを通る中心線Ｃ１より下方で、かつ、光線Ｌ１ｂ（物体検出範囲Ｒ１０の下端）より上方に延在するように、物体検出部５０が設けられる。
【０１２６】
図７（ａ）のように、スクリーン３の下方に、例えば、テーブル２００を設置し、当該テーブル２００に投写型表示装置１００Ｂを設置した場合、ユーザが投写レンズ２に近づく状況が想定される。
【０１２７】
また、背丈の低い子供が、投写レンズ２に対面して当該投写レンズ２を観察する可能性も想定される。この場合、当該子供は、投写光束ＬＴ１の上方側よりも、投写光束ＬＴ１の下方側から、投写光束ＬＴ１内に侵入する可能性が高い。そのため、物体検出範囲Ｒ１０の位置は、投写光束ＬＴ１内の上部（上寄り）よりも、投写光束ＬＴ１内の下部（下寄り）とすることが望ましい。
【０１２８】
図７（ｂ）は、スクリーン３の上方に投写型表示装置１００Ｂを設置した構成を示す図である。以下においては、図７（ｂ）のように、投写型表示装置１００Ｂを設置した状態を、天吊り設置状態ともいう。
【０１２９】
図７（ｂ）の構成では、光投写領域における投写レンズ２の前に、ユーザが侵入することは困難となる。一方、投写光束ＬＴ１内においてユーザが作業をする場合、ユーザが物体検出範囲Ｒ１０に進入し、前述の物体検出時処理により、投写型表示装置１００Ｂが投写光束ＬＴ１の輝度（光量）を低下する可能性を低減できる。
【０１３０】
以上説明したように、本実施の形態では、物体検出範囲Ｒ１０が、投写光束ＬＴ１の鉛直方向（Ｙ軸方向）の中心を通る線（中心線Ｃ１）と、投写レンズ２の光軸ＬＸ１に最も近い、投写光束ＬＴ１の端の光線Ｌ１ｂとの間に存在するように、物体検出部５０は設けられる。
【０１３１】
これにより、図７（ａ）のように、投写型表示装置１００Ｂの状態が、ユーザが投写レンズ２に容易に近づくことができる通常設置状態である場合、物体検出部５０はユーザを確実に検出することができる。また、図７（ｂ）のように、投写型表示装置１００Ｂの状態が、投写レンズ２にユーザが近づくことができない天吊り設置状態である場合において、物体検出部５０がユーザを誤って検出するといった誤動作を回避することができる。
【０１３２】
なお、本発明は、その発明の範囲内において、各実施の形態を自由に組み合わせたり、各実施の形態を適宜、変形、省略することが可能である。
【０１３３】
例えば、フィルタ５６を使用した構成Ｎ１は、投写型表示装置１００Ａ，１００Ｂのいずれに適用してもよい。
【０１３４】
また、例えば、フィルタ５６および壁５８を使用した構成Ｎ２は、投写型表示装置１００Ａ，１００Ｂのいずれに適用してもよい。
【符号の説明】
【０１３５】
２  投写レンズ、３  スクリーン、５０  物体検出部、５１  発光素子、５４  光検出器、５６  フィルタ、５８  壁、１１０  筐体、１００，１００Ａ，１００Ｂ  投写型表示装置。
【図１】
2014150516.tif 000003
【図２】
2014150516.tif 000004
【図３】
2014150516.tif 000005
【図４】
2014150516.tif 000006
【図５】
2014150516.tif 000007
【図６】
2014150516.tif 000008
【図７】
2014150516.tif 000009
【図８】
2014150516.tif 000010